(57)【要約】【課題】節電モードを有する光ディスクドライブを提供する。【解決手段】本発明は、エネルギー消費を削減する節電モードを有する携帯用光ディスクドライブに関する。本発明の目的は、節電モードに対する改良された解決策を提案することである。本目的は、  節電モードを開始する指示を受取り（１０）、  光ディスクドライブのサーボドライバ（２）をオフにし（１１）、  その後、光ディスクドライブの光検出器（４）をオフにし（１２）、  節電モードをやめる指示を待ち（１３）、  前記光検出器（４）をオンにし（１４）、  その後、前記サーボドライバ（２）をオンにする（１５）という工程を有する節電モードの光ディスクドライブを駆動する方法により達成される。【選択図】図２
2007528571.tif 000002
【特許請求の範囲】
【請求項１】
節電モードを開始する指示を受取り（１０）、
光ディスクドライブのサーボドライバ（２）をオフにし（１１）、
その後、前記光ディスクドライブの光検出器（４）をオフにし（１２）、
節電モードをやめる指示を待ち（１３）、
前記光検出器（４）をオンにし（１４）、
その後、前記サーボドライバ（２）をオンにする（１５）という工程を有する節電モードの光ディスクドライブを駆動する方法。
【請求項２】
前記光ディスクドライブのサーボドライバ（２）をオフにする工程（１１）が、前記サーボドライバ（２）からの駆動信号を前記サーボドライバ（２）へのゲート信号を通じて無効にすることを含むことを特徴とする請求項１に記載の方法。
【請求項３】
前記光検出器（４）をターンオフ／オンする工程（１２、１４）が、前記光検出器（４）の電源をターンオフ／オンすることにより実行されることを特徴とする請求項１又は請求項２に記載の方法。
【請求項４】
前記光検出器（４）をターンオフ／オンする工程（１２、１４）が、前記光検出器（４）により検出される光を生成する光源をターンオフ／オンすることにより実行されることを特徴とする請求項１又は請求項２に記載の方法。
【請求項５】
ピックアップが光検出器（４）及びサーボアクチュエータを装備し、及びサーボ制御装置（３）が光検出器信号に応答して制御信号を生成し、前記制御信号がサーボドライバ（２）を介して前記サーボアクチュエータに送信される光ディスクドライブであって、
前記光ディスクドライブが連続して前記サーボドライバ（２）をオフにし（１１）、続いて前記光検出器（４）をオフにする、及び前記光検出器（４）と前記サーボドライバ（２）を逆の順序でオンにする（１４、１５）電力節約制御装置をさらに装備することを特徴とする前記ピックアップ及び前記サーボ制御装置（３）を伴う光ディスクドライブ。
【請求項６】
前記光ディスクドライブのサーボドライバ（２）のターンオフ（１１）が、前記サーボドライバ（２）からの駆動信号を前記サーボドライバ（２）へのゲート信号を通じて無効にすることにより実行されることを特徴とする請求項５に記載の光ディスクドライブ。
【請求項７】
前記光検出器（４）のターンオフ／オン（１２、１４）が、前記光検出器（４）の電源をターンオフ／オンすることにより実行されることを特徴とする請求項５又は請求項６に記載の光ディスクドライブ。
【請求項８】
前記光検出器（４）のターンオフ／オン（１２、１４）が、前記光検出器（４）により検出される光を生成する光源をターンオフ／オンすることにより実行されることを特徴とする請求項５又は請求項６に記載の光ディスクドライブ。
【発明の詳細な説明】
【技術分野】
【０００１】
本発明は、エネルギー消費を削減する節電モードを有する、例えば携帯用光ディスクドライブのような光ディスクドライブに関する。
【背景技術】
【０００２】
特に、携帯用光ディスクドライブに対して電力消費が削減されることが望ましい。最近の製品はバッファメモリを使用して２倍速モードで動作する。バッファメモリがいっぱいになると、ディスクドライブのスピンドル・モータがオフになる。バッファメモリの充填レベルが所定の閾値以下に落ちると、スピンドル・モータはその後再びオンになる。しかし、ディスクドライブのピックアップは依然電力供給されている、つまり内部光検出器ＩＣ（ＰＤＩＣ）及びすべてのサーボは依然通電している。このことにより３０ｍＷまで浪費される、つまり数時間の再生時間が浪費される。バッファがいっぱいの場合、現行の手法では単にすべてのサーボを「弱める」又は単にスピンドルサーボを定位置に維持し及びレーザーのスイッチを切ることだけである。依然、エネルギー節約はまだ最適化されていない。
【０００３】
こうした背景において、米国特許６，７４７，９３３が光ディスク記録又は再生装置用節電システムを開示している。バッファメモリの充填レベルが所定のレベルを超えると、そのシステムが節電モードの状態になる。バッファメモリが空になる前に、通常動作が再開される。節電モードでは、様々な部品への電力供給が止められる。
【０００４】
しかし、単純にサーボドライバＩＣへの電力供給を通じて直接サーボへの電力供給をやめることは薦められない、というのは、より高い製造費用と通常動作においても一定の電力損失を招くからである。さらに、電力供給が回復するとき及びサーボ制御が再開するときについての調整に関するタイミング問題が存在する。
【発明の開示】
【発明が解決しようとする課題】
【０００５】
従って、本発明の目的は、従来技術の上記不利益を克服する節電モードに対する改良された解決策を提案することである。
【課題を解決するための手段】
【０００６】
本発明によると、本目的は
節電モードを開始する指示を受取り、
光ディスクドライブのサーボドライバをオフにし、
その後、光ディスクドライブの光検出器をオフにし、
節電モードを終える指示を待ち、
前記光検出器をオンにし、及び
その後、前記サーボドライバをオンにするという工程を有する節電モードの光ディスクドライブを駆動する方法により達成される。本発明はサーボアクチュエータとモータの電力供給を直接止めるのではなく、サーボドライバＩＣのサーボ制御装置へのゲート信号を通じて間接的にサーボドライバからの駆動信号を無効にし、及び続いてピックアップの内部ＰＤＩＣへの電力供給を無効にする。これにより、適切なタイミング制御のもとで、ピックアップのサーボアクチュエータ、モータ及び内部ＰＤＩＣへほぼ電力が供給されず、通常動作下での更なる電力損失がない。従って、ａ）内部ＰＤＩＣへの電力供給をオンにする、ｂ）駆動信号をオンにする、及びｃ）サーボ制御装置に残りのサーボ手順を開始させるというターンオン手順が保証され、その手順はデータ読み取りの正しい及び速い再開を可能にする。このようにして、全く又はほとんど認識できない弊害を伴う削減された電力消費が達成される。本発明の代替的な実施形態によると、内部ＰＤＩＣのターンオフ／オンは、内部ＰＤＩＣにより検出される光を生成する光源をターンオフ／オンすることにより実行される。
【０００７】
内部ＰＤＩＣへの電力供給が、サーボドライバＩＣへの駆動信号より速く直接中断される場合、サーボアクチュエータは（又はモータでさえ）その短い時間で制御が利かなくなる。これは、頻繁に起こる場合ピックアップを損なう。従って、電力を節約する手順は、最初にサーボドライバＩＣへの駆動信号を無効にすること、及びその後ピックアップの内部ＰＤＩＣへの電力供給を中断することだけである。通常動作を再開するためには、その手順が逆の順序で行われる。その２つの動作間の時間遅延は、約２００ｍｓあるいはそれ以上であり、サーボドライバＩＣへの駆動信号の無効化／有効化及びピックアップの内部ＰＤＩＣへの電力供給の無効化／有効化を制御する外部回路の応答時間に左右される。
【０００８】
本発明は光ディスクドライブに関して記述されてきたが、本発明はこの型のドライブに限定されないことを理解されたい。個別の電源を伴うサーボドライバ及び信号検出器を有するその他のドライバにも同様に適用できる。
【０００９】
よりよい理解のために、本発明は図面に関連して以下の記述で詳細に説明される。本発明はこの例示的な実施形態に限定されず及び具体的な特徴はまた本発明の範囲を逸脱することなく便宜上組み合わされる及び／又は改良されることを理解されたい。
【発明を実施するための最良の形態】
【００１０】
図１は、本発明による節電モードを伴う光ディスクドライブ、この場合はＣＤドライブを示している。ディスクドライブはＣＤ構造１を含む、つまりＣＤ上に保存されたデータを読み取るために、集束とトラッキングのためのアクチュエータと内部光検出器ＩＣ４、スピンドル・モータなどを伴うピックアップを含む。光検出器ＩＣ４は、電源７により通電される。ＣＤ構造１は、ＣＤサーボデジタル信号プロセッサ３からのサーボ信号に基づくサーボドライバＩＣ２からのアクチュエータ及びモータ駆動信号を受信する。サーボドライバＩＣ２は、ＣＤ構造１のアクチュエータ及びモータを駆動する電源６を含む。この電源６は、その電力を経路９を通じてバッテリー源から受け取り、及び制御装置５により制御される。制御装置５もまたサーボドライバＩＣ２に含まれ及び電源６への電力の供給を有効にする及び無効にする。制御装置５は、ゲート８から適切なゲート信号（オン／オフ）を受信する。
【００１１】
従来技術によると、節電モードは経路９を介した電源６への電力の供給を断ち切ることにより達成される。しかし、これは電源７とゲート８を一緒にした費用よりも高い部品費用（つまりＢＯＭ−資材費用）を招く。加えて、電源７とゲート８を通じての電力損失が比較的小さい一方で、経路９を通じて一定の電力損失が存在する。電源７とゲート８を切り替える適切なタイミング手順を実行することにより、一旦メモリバッファがいっぱいになると、約３０ｍＷあるいはそれ以上の節電が達成される。これはおよそ８％から１０％の節約に対応し、使用されるシステム設計及び部品に左右される。
【００１２】
節電モードへの切り替え及び通常動作への復帰の手順は、図２にフローチャートとして示されている。節電モードを開始する指示の受信１０のあと、最初に、サーボ制御装置５へのゲート信号を通じて間接的にサーボドライブ２からの駆動信号を無効にすること１１により、光ディスクドライブのサーボドライバ２がオフになる。そのあと、光ディスクドライブの光検出器４が、その電力供給を無効にすること１２によりオフになる。通常モード動作に復帰させるためには、節電モードを中止し及び通常モードに復帰する指示の受信１３後、最初に光検出器４がその電力供給を有効にすること１４によりオンになる。続いて、サーボ制御装置５へのゲート信号を通じて間接的にサーボドライバ２からの駆動信号を有効にすることによりサーボドライバ２が再びオンになる。
【図面の簡単な説明】
【００１３】
【図１】本発明による節電モードを伴う光ディスクドライブを示している。
【図２】節電モードへの切り替えと通常動作への復帰の手順を表している。
【符号の説明】
【００１４】
１  ＣＤ構造
２  サーボドライバＩＣ
３  ＣＤサーボデジタル信号プロセッサ
４  光検出器ＩＣ
５  制御装置
６  電源
７  電源
８  ゲート
９  経路
１０  節電モードを開始する指示の受信
１１  サーボ制御装置の無効化
１２  ＰＤＩＣへの電源の無効化
１３  通常動作指示の受信
１４  ＰＤＩＣへの電源の有効化
１５  サーボ制御装置の有効化
【図１】
2007528571.tif 000003
【図２】
2007528571.tif 000004
【国際調査報告】
2007528571.tif 000005
2007528571.tif 000006